(57)【要約】      （修正有）【課題】容器本体内にエアが逆流するのを防止する。【解決手段】キャップ３は、容器本体２の口部２２に対し順番に取り付ける内栓４と中蓋６とを備える。内栓は、容器本体の口部に取り付ける内取付部と、内取付部の内周から口径方向内側に張り出して容器本体の内部と外部とを仕切ると共にその内周側の空間部が内出口となる内仕切部４２と、内仕切部の内周から口径方向内側に張り出すと共に粘性物の内容物の逆流を止めると共に内出口を通過する内容物に押されて弾性変形させられるストッパー片４３とを備える。中蓋は、容器本体の口部に取り付ける中取付部６１と、中取付部の内周から口径方向内側に張り出して容器本体の内部と外部とを仕切る中仕切部６２であってその内周側の空間部が中出口となる中仕切部とを備える。容器本体側から視て中出口６２ｈを内出口４２ｈの内側に配置し、内仕切部と中仕切部との間に内容物を滞留させるための滞留空間部６３を備える。【選択図】図１
2019085175.tif 000002
【特許請求の範囲】
【請求項１】
粘性物からなる内容物を通過させると共に容器本体の口部に対し順番に取り付ける内栓と中蓋とを備え、
内栓は、容器本体の口部に取り付ける内取付部と、容器本体側から視て内取付部の内周から口径方向内側に張り出して容器本体の内部と外部とを仕切る内仕切部であってその内周側の空間部が内出口となる内仕切部と、容器本体側から視て内仕切部の内周から口径方向内側に張り出すと共に内容物の逆流を止めるストッパー片であって内出口を通過する内容物に押されて弾性変形させられるストッパー片とを備え、
中蓋は、容器本体の口部に取り付ける中取付部と、容器本体側から視て中取付部の内周から口径方向内側に張り出して容器本体の内部と外部とを仕切る中仕切部であってその内周側の空間部が中出口となる中仕切部とを備え、
容器本体側から視て中出口を内出口の内側に配置し、
内仕切部と中仕切部とは内容物の通過方向に間隔をあけて配置されると共に、内仕切部と中仕切部との間に内容物を滞留させるための滞留空間部を備えることを特徴とするキャップ。
【請求項２】
中出口は、容器本体側から容器本体とは反対側に向かうにつれて口径が狭まる第１出口部を備え、
容器本体側から視て、中出口の第１出口部のうち容器本体とは反対側の端を内出口の内側に配置すると共に、第１出口部のうち容器本体側の端を内出口に一致させるか、内出口の外側に配置してあることを特徴とする請求項１に記載のキャップ。
【請求項３】
中仕切部は、中取付部の内周から口径方向内側に張り出す中仕切部本体と、中仕切部本体の口径方向内周部から容器本体側に突出すると共に滞留空間部のうち容器本体とは反対側を口径方向に区画する区画壁とを備えることを特徴とする請求項１に記載のキャップ。
【請求項４】
内仕切部の外周部は、内仕切部が弾性変形するときの支点となる支点部であり、
支点部の厚みは、内取付部の内周部の厚みよりも薄くしてあることを特徴とする請求項１〜３の何れかに記載のキャップ。
【請求項５】
中蓋に対して開閉可能な外蓋を備え、
外蓋は、中出口を覆う化粧板を備えるものであり、
外蓋と中蓋とは、互いの外周部を開閉可能に連結する連結部と、中出口に対し口径方向外側において中仕切部と化粧板との間を口径方向に仕切って密閉するシール部とを備えることを特徴とする請求項１〜４の何れかに記載のキャップ。
【請求項６】
請求項１〜５の何れかに記載のキャップを装着した容器において、その容器本体に押し出し可能な粘性状の食材が収容されていることを特徴とする包装食品。
【発明の詳細な説明】
【技術分野】
【０００１】
本発明は、容器本体に取り付けるキャップおよび、そのキャップを装着した容器に粘性状の食材が収容されている包装食品に関する。
【背景技術】
【０００２】
容器の種類の一つとして、容器本体を押し潰すことによって、キャップの出口から内容物を押し出すものが存在する。そのような容器は、内容物が押し出された後、容器本体の復元力によって内容物が引き戻され、空気が容器本体の内部に入ってくることがあった。この現象は俗にエアバック現象と称される。このエアバック現象によって容器本体に空気が入り、内容物が酸化し品質が低下することがあった。そしてエアバック現象を防ぐために容器本体の口部に内容物を積極的に詰まらせるようにした容器が存在する（特許文献１）。詳しくは以下の通りである。
【０００３】
特許文献１に開示されている容器は、容器本体の首部の内周部を口部と称している。そしてこの容器は、口部における下側の内径を上側の内径よりも狭くした構成である。このようにすることによって、口部の下側の内部に内容物を逆流し難くし、口部の上側の内部に内容物を詰まらせるようにしてある。
【先行技術文献】
【特許文献】
【０００４】
【特許文献１】特許４１１５８９８号公報
【発明の概要】
【発明が解決しようとする課題】
【０００５】
本発明の目的は、上記した特許文献１に開示された容器とは異なる構成によって、エアバック防止効果を得ることである。
【課題を解決するための手段】
【０００６】
本発明のキャップは、粘性物からなる内容物を通過させると共に容器本体の口部に対し順番に取り付ける内栓と中蓋とを備えるものである。
内栓は、容器本体の口部に取り付ける内取付部と、容器本体側から視て内取付部の内周から口径方向内側に張り出して容器本体の内部と外部とを仕切る内仕切部であってその内周側の空間部が内出口となる内仕切部と、容器本体側から視て内仕切部の内周から口径方向内側に張り出すと共に内容物の逆流を止めるストッパー片であって内出口を通過する内容物に押されて弾性変形させられるストッパー片とを備えるものである。
中蓋は、容器本体の口部に取り付ける中取付部と、容器本体側から視て中取付部の内周から口径方向内側に張り出して容器本体の内部と外部とを仕切る中仕切部であってその内周側の空間部が中出口となる中仕切部とを備えるものである。
そのうえで本発明のキャップは、容器本体側から視て中出口を内出口の内側に配置し、内仕切部と中仕切部とが内容物の通過方向に間隔をあけて配置されると共に、内仕切部と中仕切部との間に内容物を滞留させるための滞留空間部を備えるものである。
【０００７】
また中仕切部はその内周側の空間部が中出口となるものである。したがって空間部の外周面は貫通穴である中出口の内周面であり、中仕切部の内周面でもあると言える。また中出口の内周面はその口径を貫通方向に向かって同じ径にしてあるものに限らず、異なる径にしてあるものであっても良い。たとえば異なる径の一例として、中出口は容器本体側から容器本体とは反対側に向かうにつれて口径を小さくする形状が存在する。この形状の場合、内仕切部が中出口の内周面と対向する関係となることがある。この関係の場合、中出口の内周面のうち内仕切部に対向する面は滞留空間部を形成することになる。なぜなら滞留空間部は内仕切部と中仕切部との間に形成されるものだからである。
また滞留空間部における内容物の滞留具合は、内出口を通過した内容物が中仕切部に衝突する具合、言い換えれば内容物の通過方向（容器本体側から容器本体とは反対側に向かう直線方向）に対して中仕切部が交差する角度に関係するものである。内容物の通過方向に対して中仕切部が交差する角度が、中仕切部に衝突した内容物が中仕切部の内周側（中出口の中央）へ向かうものであれば、内容物は滞留空間部に滞留し難くなり、その反対に、中仕切部に衝突した内容物が中仕切部の外周側に向かうものであれば、内容物は滞留空間部に滞留しやすくなる。
そして内容物はその性質、たとえば粘度や内容物に含まれる固形物によって、滞留空間部に溜まりやすいものや、溜まり難いものがある。
滞留空間部に内容物を溜まりやすくするか、溜まり難くするかは、内容物の性質等を考慮して定められる。
【０００８】
また容器本体側から視て中出口は少なくとも一部を内出口の内側に配置するものであれば良い。そして滞留空間部に内容物を溜まり難く（滞留空間部への内容物の滞留効果を小さくするには）するには次のようにすることが望ましい。
すなわち、中出口は、容器本体側から容器本体とは反対側に向かうにつれて口径が狭まる第１出口部を備えることである。そして容器本体側から視て、中出口の第１出口部のうち容器本体とは反対側の端を内出口の内側に配置すると共に、第１出口部のうち容器本体側の端を内出口に一致させるか、内出口の外側に配置してあることである。
【０００９】
また中仕切部は容器本体側から視て中取付部の内周から口径方向内側に張り出して容器本体の内部と外部とを仕切るものであれば、それ以上の形態を問わないものであるが、滞留空間部に内容物を溜まりやすくするには（滞留空間部への内容物の滞留効果を向上させるには）次のようにすることが望ましい。
すなわち中仕切部は、中取付部の内周から口径方向内側に張り出す中仕切部本体と、中仕切部本体の口径方向内周部から容器本体側に突出すると共に滞留空間部のうち容器本体とは反対側を口径方向に区画する区画壁とを備えることである。
【００１０】
また内仕切部は、内容物が内出口を通過するときに内容物に押されても弾性変形しないものであっても良いが、滞留空間部に内容物を溜まりやすくするには次のようにすることが望ましい。
すなわち内仕切部の外周部は、内仕切部が弾性変形するときの支点となる支点部であり、支点部の厚みは、内取付部の内周部の厚みよりも薄くすることである。
【００１１】
また本発明のキャップは、中蓋を開閉する外蓋の有無、および外蓋の具体的な構成については問わないが、中出口の外側に残った内容物の滓を乾燥させないようにするには、次のようにすることが望ましい。
すなわちキャップは、内栓、中蓋の他に、中蓋に対して開閉可能な外蓋を備えるものとする。外蓋は、中出口を覆う化粧板を備えるものである。外蓋と中蓋とは、互いの外周部を開閉可能に連結する連結部と、中出口に対し口径方向外側において中仕切部と化粧板との間を口径方向に仕切って密閉するシール部とを備えることである。
【発明の効果】
【００１２】
本発明のキャップによれば、容器本体側から視て中出口を内出口の内側に配置してあるので、開口面積が中出口の方が内出口よりも小さくなり、内出口を通過した内容物の中心部は中出口を通過するが、内容物の外周部は中出口を通過できずに中仕切部に衝突し、滞留空間部に滞留することになる。しかも滞留空間部に滞留した内容物がストッパー片に載り、内容物が内出口に向かって逆流するのをストッパー片によって止めるので、エアバック防止効果が得られ、容器内に空気が戻らないことで内容物の酸化による品質低下が防止できる。
【００１３】
またキャップは第１出口部を中出口に備えるものであれば、内出口を通過した内容物の中心部は中出口を通過するが、内出口を通過した内容物の外周部は中仕切部に衝突する。衝突するときに内容物は、中仕切部の第１出口部に衝突し、第１出口部に沿って滞留空間部から出るように案内されるが、容器本体側から容器本体とは反対側に向かうにつれて口径が狭まるので、中出口から排出され難くなり、排出され難い部分が滞留空間部に滞留することになる。そしてこのキャップは、第１出口部のうち容器本体側の端を内出口に一致させるか又は内出口の外側に配置し、第１出口部に沿って滞留空間部から出るように内容物を案内するので、例えば容器本体側から視て中出口の全部を内出口の内側に配置するものと比べれば、第１出口部によって案内した分だけ滞留空間部への内容物の滞留効果を小さくすることができる。
【００１４】
またキャップは中仕切部に区画壁を備えるものであれば、中仕切部本体に衝突した内容物が口径方向内側へ移動するのを区画壁によって邪魔するので、滞留空間部への内容物の滞留効果を向上することができる。
【００１５】
またキャップは、内仕切部の外周部が弾性変形するときの支点部となるものであれば、内容物を押し出しているときには内仕切部が容器本体とは反対側に弾性変形し、内容物を出し終わった後には内仕切部が復元力によって元の形状に戻ろうとして内容物を容器本体側（滞留空間部）に引き戻すので、中出口から出た内容物が中出口に近い位置で切れやすくなると共に、滞留空間部に内容物が溜まりやすくなり、エアバック防止効果が向上する。
【００１６】
またキャップは中出口に対し口径方向外側において中仕切部と化粧板との間を口径方向に仕切って密閉するシール部を備えるものであれば、中出口の外側に残った内容物の滓が乾燥するのを防止できる。
【図面の簡単な説明】
【００１７】
【図１】（Ａ）（Ｂ）図は、本発明の第１実施形態のキャップを使用した容器の上部を示す断面図であり、（Ａ）図は容器本体が空の状態、（Ｂ）図は使用後の状態である。
【図２】内容物を押し出しているときのキャップの状態を主に示す断面図である。
【図３】内容物を押し出しているときのキャップの状態を示す底面図である。
【図４】（Ａ）（Ｂ）図は、未使用時のキャップの内栓を示す平面図、Ａ−Ａ線断面図である。
【図５】（Ａ）（Ｂ）図は、内容物を押し出しているときのキャップの内栓を示す平面図、Ａ−Ａ線断面図である。
【図６】（Ａ）（Ｂ）図は、本発明の第２実施形態のキャップを使用した容器の上部を示す断面図であり、（Ａ）図は容器本体が空の状態、（Ｂ）図は使用後の状態である。
【図７】第２実施形態のキャップのうち内栓を示す斜視図である。
【図８】（Ａ）（Ｂ）図は、本発明の第３実施形態のキャップを使用した容器の上部を示す断面図であり、（Ａ）図は容器本体が空の状態、（Ｂ）図は使用後の状態である。
【発明を実施するための形態】
【００１８】
図１に示すように容器１は、内容物９を充填する容器本体２と、容器本体２に取り付ける本発明の第１実施形態のキャップ３とを備える。
【００１９】
容器本体２は軟質な合成樹脂製である。容器本体２の軟質具合は手で押し潰して内容物９を押し出すことができる程度である。また容器本体２は、中空の胴部２１と、胴部２１の一部から突出する筒状の口部２２とを備える。口部２２は本実施形態では円筒状となっており、その外周面には雄ネジ２２ａがキャップ３を取り付けるために形成されている。容器本体２には内容物９として粘性物が充填される。粘性物とは、ペースト状を呈しているものであればよく、具体的にはしょうが、にんにく、わさび、からし、ゆずこしょう、ねりうめ、だいこんおろし等の他に、乳化状のマヨネーズやマーガリン、調理ソースであるケチャップ、またそれらに出口から通過できる大きさの固形物を含んでいてもよい。固形物とは具体的には刻みしょうが、刻みにんにく等である。
【００２０】
以下では、「中心線」、「口径方向」、「容器本体側」、「反容器本体側」という用語を使う。
「中心線」とは、口部２２の貫通方向に延長する線であって且つ口部２２を貫通方向から視たときの口部２２の中心を通過する線である。ちなみに本実施形態では、口部２２が上下方向に貫通する円筒状であるので、中心線Ｌが延長する方向は上下方向と一致する。また中心線Ｌが延長する方向は、本実施形態では内容物の通過方向に一致する。
「口径方向」とは、中心線Ｌに対して直交する平面上において中心線Ｌとの交点を中心とし、当該平面上において中心を通過する直線が延長する方向を言う。ちなみに本実施形態では、口部２２の外周面と内周面とはいずれも円筒状であるので、口径方向は直径方向と一致する。
「容器本体側」とは、容器本体２の口部２２に取り付ける対象物に対して内容物９が充填されている側であり、図１では下側である。
「反容器本体側」とは、容器本体とは反対側のことであり、対象物に対して内容物９が出ていく側であり、図１では上側である。
また中心線Ｌを中心とする環状物の場合、口径方向のうち中心線Ｌに対して近い側を内側あるいは内周側、中心線Ｌに対して遠い側を外側、あるいは外周側という場合がある。
【００２１】
キャップ３は、容器本体２の口部２２に対し順番に取り付ける内栓４とキャップ本体５とを備える。内栓４は、内容物９を通過させると共に内容物９の逆流を止めるものである。またキャップ本体５は、内栓４を通過した内容物９を通過させる中蓋６と、中蓋６に対し開閉可能な外蓋７とを備える。内栓４とキャップ本体５とは硬質な合成樹脂製（硬質樹脂製）である。より詳しくは硬質樹脂とは、例えばポリプロピレン、ポリエチレン等であり、エラストマー、シリコン等の軟質樹脂を除くものである。また内栓４・キャップ本体５は射出成型によって成形する。
【００２２】
内栓４は図１，２，４に示すように、口部２２に取り付ける内取付部４１と、内取付部４１の内周に接合されると共に容器本体２の内部と外部とを仕切る内仕切部４２であって口部２２よりも小さな内出口４２ｈを有する内仕切部４２と、内容物９の逆流を止めるための複数のストッパー片４３の集合であるストッパー片群４３，…であって内出口４２ｈの内周に周方向に沿って配置されたストッパー片群４３，…とを備える。
【００２３】
内取付部４１は、口部２２の先端面と内周面に取り付けるものである。内取付部４１は、口部２２の先端面に被せる環状の鍔４１ａと、鍔４１ａの内周部から容器本体側に向かって突出する筒状の内壁４１ｂとを備える。
【００２４】
内仕切部４２は、中心部に内出口４２ｈとしての貫通穴があいた平板状である。また内仕切部４２は、口径方向に外側から内側に向って順に、第１の薄肉部４２ａと、内仕切部本体４２ｂと、第２の薄肉部４２ｃと、ストッパー片群４３，…を支持する支持部４２ｄとを備える。また第１の薄肉部４２ａ・内仕切部本体４２ｂ・第２の薄肉部４２ｃ・支持部４２ｄは何れも環状である。
【００２５】
第１の薄肉部４２ａは、内仕切部４２が弾性変形するときの支点となる支点部であり、内壁４１ｂの厚み（口径方向の厚み）、および内仕切部本体４２ｂの厚み（内容物９の通過方向の厚み）よりも薄いものである。
第２の薄肉部４２ｃは、内仕切部本体４２ｂの厚み（内容物９の通過方向の厚み）、および支持部４２ｄの厚み（内容物９の通過方向の厚み）よりも薄いものである。
支持部４２ｄの内周が内仕切部４２の貫通穴であり、内出口４２ｈである。また図３に示すように内出口４２ｈを多角形状としている。
【００２６】
多角形状とは、多角形を基本的形状とするものである。ただし多角形状とは、純粋な多角形だけでなく、多角形の辺が非直線形状、たとえば波形状であったり、あるいは図示の例のように多角形の角部を落とした形状、いわゆる面取りした形状であったりする場合も含むもので、外観上、多角形であると認識されるものであれば良い。また多角形とは、全ての内角の角度が１８０度未満である多角形、いわゆる凸多角形であり、望ましくは全ての内角の角度が直角よりも大きく１８０度未満である多角形である。ちなみに多角形状が多角形の角部を面取りした形状である場合の多角形の内角の角度は、角部を面取りしていない多角形を想定して、定める。また多角形は、望ましくは正多角形である。なお図の例では内仕切部４２の内周は正六角形であり、６つの辺部を備える。
【００２７】
ストッパー片群４３，４３，…は、内仕切部４２の内周（内出口４２ｈ）に接合されている。またストッパー片群４３，…は、容器本体側から視て内出口４２ｈの多角形状の各辺から口径方向内側に張り出す複数のストッパー片４３を備えるものである。
またストッパー片群４３，…を構成する全てのストッパー片４３は、中心線Ｌを中心とする周方向に均等に配置されると共に、同じ外形をしており、それゆえ隣り合うストッパー片４３同士の関係は、中心線Ｌを中心として一方のストッパー片４３を周方向に所定角度回転させると、当該回転させたストッパー片４３は他方のストッパー片４３に対して一致する位置に配置されるという関係である。
そしてストッパー片群４３，…は、内容物９が一度も通過していない状態（以下、「初期状態」と言う。）では内出口４２ｈ側に対して反容器本体側の先部が、中心線Ｌに接近した形態である。つまりストッパー片群４３，…は、初期状態においてその内周に内容物９が通過するストッパー出口４３ｈを備えるものである。図４（Ａ）に示すように初期状態ではストッパー出口４３ｈは、反容器本体側から視て、中心点（中心線Ｌ上の点）から６方向に放射状に線分が延長する形状となっている。
【００２８】
ストッパー片４３は、弾性変形可能なもので、内仕切部４２の内周である多角形状の各辺部から延長するものである。またストッパー片４３は、各辺部から反容器本体側において三次元に曲がって突出するものである。より詳しく言えばストッパー片４３は初期状態では、正多角形状の各辺部から中心線Ｌに向かう方向と反容器本体側に向かう方向との二方向に対して突出し、円弧状に曲がった形状となるものである。またストッパー片４３は、真っ直ぐにのばした状態を想定すると、三角形状になる。
【００２９】
またストッパー片４３は、内仕切部４２の内周部から口径方向内側と反容器本体側の両側へ向かって突出するもので、口径方向外側から内側へ向かって順番にヒンジ部４３ａ、ストッパー片本体部４３ｂを備えるものである。
【００３０】
ヒンジ部４３ａは、ストッパー片本体部４３ｂ、内仕切部４２の内周部よりも薄肉であり、自分自体よりも先部側（ストッパー片本体部４３ｂ）を弾性変形させる支点となるものである。
【００３１】
ストッパー片本体部４３ｂの先部は、初期状態において中心線Ｌから少し離れているが、容器本体側から内容物９が押し出されると、中心線Ｌから大きく離れるものである。またストッパー片本体部４３ｂは、口径方向の外側から中心線Ｌ（口径方向の内側）へ向かうにつれて、反容器本体側に突出しながら中心線Ｌへ接近すると共に先細りとなる形状である。上記した内栓４を取り付けた容器本体２に対してキャップ本体５が取り付けられる。
【００３２】
図１，２に示すようにキャップ本体５は本実施形態では、いわゆるヒンジキャップである。またキャップ本体５は、内栓４を経た後に内容物９を通過させる中蓋６と、中蓋６に対し開閉可能な外蓋７とを備える。
【００３３】
中蓋６は、容器本体２の口部２２に取り付ける中取付部６１と、中取付部６１の内周側において容器本体２の内部と外部とを仕切る中仕切部６２とを備える。
【００３４】
中取付部６１は、口部２２の外周面に取り付けるものである。中取付部６１は、筒状の第１中壁６１ａと、第１中壁６１ａの内周面に形成された雌ネジ６１ｂとを備える。雌ネジ６１ｂは容器本体２の口部２２の雄ネジ２２ａに螺合する。
【００３５】
中仕切部６２は、第１中壁６１ａの基部（反容器本体側の部分）においてその周方向の全周から口径方向内側に張り出す環状の中仕切部本体６２ａと、中仕切部本体６２ａの内周部から反容器本体側に突出する筒状のノズル部６２ｂと、中仕切部本体６２ａの口径方向中間部から容器本体側に突出する第２中壁６２ｃとを備える。
【００３６】
中仕切部本体６２ａは中心部に貫通穴があいた平板状である。またノズル部６２ｂの内部空間と中仕切部本体６２ａの貫通穴とは通じており、これらの内周側の空間部が本実施形態では内容物９が通過する中出口６２ｈになる。また本実施形態では、中出口６２ｈは反容器本体側に向かって徐々に口径が広くなるテーパー状となっているので、容器本体側から視て中出口６２ｈのうち最小口径である部分は中仕切部本体６２ａの貫通穴となっている。そして図３に示すように容器本体側から視て、中出口６２ｈは内出口４２ｈの内側に配置されている。図示の例では容器本体側から視て、円形状の中出口６２ｈは正六角形状の内出口４２ｈの内側に且つその周方向の全周に亘って口径方向に間隔をあけて配置されている。
【００３７】
図１，２に示すように第２中壁６２ｃは、筒状であり、内栓４の内壁４１ｂに対しその全周に亘って接触するものである。
【００３８】
また中仕切部６２（中仕切部本体６２ａ）と内仕切部４２（内仕切部本体４２ｂ）とは、内容物９の通過方向に間隔をあけて配置されると共に、両者４２，６２の間に内容物９を滞留させるための滞留空間部６３を備える。
【００３９】
滞留空間部６３は、内容物９の通過方向に関しては前述したように中仕切部６２と内仕切部４２によって区画され、口径方向の外周に関しては内取付部４１の内壁４１ｂと中蓋６の第２中壁６２ｃとよって区画されている。また口径方向の内周側に関して滞留空間部６３は、内容物９が流入するようになっている。より詳しく言えば、口径方向の内周側に関して滞留空間部６３は、容器本体側がストッパー片群４３，…によってその周方向に沿って間隔をあけて区画され、反容器本体側が全く区画されておらず、内出口４２ｈに対してストッパー出口４３ｈから通じるようになっている。
【００４０】
外蓋７を図１，２に示すように閉じた状態で説明する。外蓋７は、中仕切部６２に対し反容器本体側において中出口６２ｈと中仕切部６２を覆う化粧板７１と、化粧板７１の外周部から容器本体側に向かって突出する筒状の化粧壁７２と、化粧板７１の中心部から容器本体側に向かって突出すると共に中出口６２ｈを塞ぐ外栓部７３とを備えている。
【００４１】
外栓部７３は、化粧板７１からその周方向の全周に亘って容器本体側に突出する筒状であり、中蓋６のノズル部に対し口径方向の内側に嵌合して、その周方向の全周に亘って密接するものである。
【００４２】
また外蓋７と中蓋６とは、互いの外周部を開閉可能に連結する連結部７４と、中仕切部６２と化粧板７１との間を口径方向に仕切って密閉するシール部７５とを備える。
【００４３】
シール部７５は、中出口６２ｈに対し口径方向外側に形成されるものである。またシール部７５は、中蓋６と外蓋７に別々に形成された一対のシール壁部６４，７５ａより構成される。
中蓋６のシール壁部６４は、中仕切部６２（中仕切部本体６２ａ）からその周方向の全周に亘って反容器本体側に突出する筒状である。外蓋７のシール壁部７５ａは、化粧板７１からその周方向の全周に亘って容器本体側に突出する筒状であり、中蓋６のシール壁部７５ａに対し口径方向に密接するものである。図示の例では、外蓋７のシール壁部７５ａが中心線Ｌの延長方向に延びる長さは、中蓋６のシール壁部６４より長くなっており、外蓋７のシール壁部７５ａの先部が弾性変形して中蓋６のシール壁部６４に対し口径方向内側に密接している。
【００４４】
連結部７４は、外蓋７と中蓋６を互いの外周部の一部において接合する蓋ヒンジ部７４ａと、蓋ヒンジ部７４ａとは中心線Ｌに対して反対側において外蓋７と中蓋６を連結する凹凸部７４ｂとを備える。
蓋ヒンジ部７４ａの厚みは、外蓋７の厚み（化粧板７１および化粧壁７２の厚み）、および中蓋６の第１中壁６１ａの厚みよりも薄くなっており、折れ曲がり可能なものである。
凹凸部７４ｂは、外蓋７と中蓋６の一方に形成されると共に口径方向に凹む凹部７４ｂ１と、外蓋７と中蓋６の他方に形成されると共に口径方向に突出する凸部７４ｂ２とを備える。本実施形態では、中蓋６のシール壁部６４の外周面に凹部７４ｂ１が形成され、外蓋７の化粧壁７２の内周面に凸部７４ｂ２が形成されている。
なお凹凸部７４ｂが嵌合した状態から外蓋７を開くために、蓋ヒンジ部７４ａとは中心線Ｌに対して反対側において外蓋７には、化粧壁７２の外周面から口径方向外側に突出する操作部７６が形成されている。
【００４５】
上記した容器１は、以下のようにして内容物９を中出口６２ｈから押し出す。
外蓋７を開いた状態で容器本体２を押し潰すと、内容物９が内出口４２ｈ、ストッパー出口４３ｈ、中出口６２ｈから順番に押し出される。このとき内出口４２ｈを通過した内容物９によって、ストッパー片４３が押されてヒンジ部４３ａを支点として弾性変形し、ストッパー片４３の先部が口径方向外側に変位する。図３，５に示すように容器本体側や反容器本体側から視て、内容物９によって押されたストッパー片４３は、内出口４２ｈの正六角形状の各辺から正六角形の中心点に向かって小さく三角形状に張り出すようになる。また内容物９に押されることによって内仕切部４２（内仕切部本体４２ｂ）は、その外周部である支点部（第１の薄肉部４２ａ）を支点にして弾性変形し、その内周側を反容器本体側に変位させ、テーパー状になる。また第２の薄肉部４２ｃも内仕切部本体４２ｂと支持部４２ｄとの間で弾性変形して、内仕切部本体４２ｂを弾性変形し易くしている。そしてストッパー片群４３，…の内周であるストッパー出口４３ｈを通過した内容物９は、中蓋６に向かい、内容物９のうち中心部は中出口６２ｈを通過して外部に押し出され、内容物９のうち外周部は中仕切部６２（中仕切部本体６２ａ）に衝突して口径方向外側に、つまり滞留空間部６３へ向かう。そして内容物９が中出口６２ｈから押し出され続けると、滞留空間部６３が内容物９で埋まる。
【００４６】
また内容物９を出すのを止めると（手の力を抜いて容器本体２の押し潰すのを止めると）、中出口６２ｈから出た内容物９が中出口６２ｈの付近で切れ、ストッパー片４３は弾性変形した状態をほぼ維持するか、僅かに初期状態の形状に近づく。ストッパー片４３は、内容物９の中に埋まった状態であり、またヒンジ部４３ａが内仕切部４２に接合されているだけで、先部が何にも接合されていない。したがってストッパー片４３の復元力は、その周りを囲む内容物９の影響を受けやすい。ただしストッパー片４３には復元力によって、内容物９を容器本体側に引き戻す力が作用する。
また内仕切部４２（内仕切部本体４２ｂ）は復元力によって初期状態の形状に戻るか、近づく。内仕切部４２は内容物９の中に埋まった状態である。ただし内仕切部４２は環状であるので、その復元力はストッパー片４３の復元力よりも、内容物９の影響を受けにくい。
【００４７】
上記した第１実施形態のキャップ３は以下の効果を有する。
容器本体側から視て中出口６２ｈを内出口４２ｈの内側に配置してあるので、開口面積は、中出口６２ｈの方が内出口４２ｈよりも小さくなり、内出口４２ｈを通過した内容物９の中心部は中出口６２ｈを通過するが、内容物９の外周部は中出口６２ｈを通過できずに中仕切部６２に衝突し、滞留空間部６３に滞留することになる。しかも滞留空間部６３に滞留した内容物９がストッパー片４３に載り、内容物９が内出口４２ｈに向かって逆流するのをストッパー片４３によって止めるので、内容物９が滞留空間部６３に溜まり易くなり、エアバック防止効果が得られ、容器本体２内に空気が戻らないことで食材の酸化による品質低下が防止できる。
【００４８】
またキャップ３は、内仕切部４２の外周部（第１の薄肉部４２ａ）が弾性変形するときの支点部であるので、ストッパー片４３が内容物９によって押し出されるときに内仕切部４２がテーパー状に弾性変形し、内容物９を出し終わった後には内仕切部４２が復元力によって元の形状（初期状態の形状）に戻ろうとして内容物９を容器本体側（滞留空間部６３）に引き戻すので、中出口６２ｈから出た内容物９が中出口６２ｈに近い位置で切れやすくなると共に、滞留空間部６３に内容物９が溜まりやすくなり、エアバック防止効果が向上する。
またストッパー片群４３，…を構成するストッパー片４３にも復元力が生じるので、中出口６２ｈから出た内容物９が中出口６２ｈに近い位置で切れやすくなると共に、滞留空間部６３に内容物９が溜まりやすくなり、エアバック防止効果が向上する。
【００４９】
またキャップ３はシール部７５を備えるので、外蓋７を閉めれば、中出口６２ｈの口径方向外側において中仕切部６２と化粧板７１との間が口径方向に仕切って密閉され、中出口６２ｈの外側に残った内容物９の滓９ａが乾燥するのを防止できる。
【００５０】
本発明の第２実施形態のキャップ３は図６に示すように、中蓋６の中出口６２ｈと、内栓４のストッパー片群４３，…と、内栓４の内仕切部４２とに関して、第１実施形態のキャップ３と相違する。
【００５１】
中出口６２ｈは、容器本体側から反容器本体側に向かって順に形状の異なる複数の出口部を備えるものである。本実施形態では中出口６２ｈは、容器本体側に形成された第１出口部６２ｈ１と、第１出口部６２ｈ１に対して反容器本体側に形成された第２出口部６２ｈ２とを備えるものである。
第１出口部６２ｈ１は中仕切部本体６２ａの貫通穴である。そして第１出口部６２ｈ１は容器本体側から反容器本体側に向かうにつれて口径が小さくなるもので、より詳しく言えば口径が徐々に小さくなるテーパー状である。
第２出口部６２ｈ２はノズル部６２ｂの内部空間である。そして第２出口部６２ｈ２は容器本体側から反容器本体側に向かうにつれて口径が大きくなるもので、より詳しく言えば口径が徐々に大きくなるテーパー状である。
また第１出口部６２ｈ１の反容器本体側の端と第２出口部６２ｈ２の容器本体側の端とは同一部分であり、中出口６２ｈのうち最も口径の小さい部分となる。
また第２出口部６２ｈ２のテーパーの角度は、第１出口部６２ｈ１のテーパーの角度よりも小さいものである。ちなみに第２出口部６２ｈ２のテーパーの角度とは、中心線Ｌに対して平行な直線（図示せず）と第２出口部６２ｈ２のテーパーに沿う傾斜線とで形成される角度のうち鋭角の角度のことである。第１出口部６２ｈ１のテーパーの角度とは、中心線Ｌに対して平行な直線と第１出口部６２ｈ１のテーパーに沿う傾斜線とで形成される角度のうち鋭角の角度のことである。
【００５２】
また第１出口部６２ｈ１（中仕切部本体６２ａの貫通穴）が上記したテーパー状であることから、第１出口部６２ｈ１のうち容器本体側の端は、反容器本体側の端よりも口径方向外側に位置することになる。そして容器本体側から視て、中出口６２ｈの第１出口部６２ｈ１のうち反容器本体側の端を内出口４２ｈの内側に配置すると共に、第１出口部６２ｈ１のうち容器本体側の端を内出口４２ｈの外側に配置してある。ちなみに図６（Ａ）では、内出口４２Ｈのうち最小口径の部分から中心線Ｌに平行な直線Ｌ２が一点鎖線で示されており、容器本体側から視て中出口６２ｈの一部（容器本体側）を内出口４２ｈの内側に配置してあることが明示されている。
【００５３】
ストッパー片群４３，…は図７に示すように、隣り合うストッパー片４３，４３が周方向に接した状態においても、その口径方向の中央部に内容物が通過する貫通穴４３jを備えるものである。この貫通穴４３ｊの外形は、ストッパー片群４３のうち中心線Ｌの方を向くストッパー片４３の先端で形成される。そしてこの貫通穴４３ｊはストッパー通路４３ｊと称されるものとする。ストッパー通路４３ｊは、図４(Ａ)に示すストッパー出口４３ｈ（隣り合うストッパー片４３，４３が周方向に離れ、反容器本体側から視て中心点から放射状に線分が延長するもの）とは相違するものである。ストッパー通路４３ｊは図７では反容器本体側から視て正六角形となっており、ストッパー片４３の先端は正多角形の一辺を形成するものとなっている。またストッパー通路４３ｊの口径は、内容物としての粘性物に固形物が含まれることを想定したもので、その固形物が通過可能な大きさにしてあることが望ましい。固形物の大きさは目視できる程度のものである。口径の最小長さは、ストッパー片４３の厚みよりも長く、中出口６２ｈの口径の最小長さよりも短いものである。
【００５４】
内仕切部４２は環状であり、外蓋７を開いた状態で容器本体２を押し潰して内容物を押し出したとしてもその姿勢（内栓４の内取付部４１の内壁４１ｂに対する姿勢）を維持するもの、言い換えれば第１実施形態のような弾性変形をしないものであり、その姿勢を維持するのに十分な厚みを備えるものである。そして内仕切部４２の内周部がストッパー片群４３，…を支持する支持部４２ｄとなる。したがって内仕切部４２は、第１実施形態での内仕切部４２における第１の薄肉部４２ａ・第２の薄肉部４２ｃを備えないものである。
【００５５】
上記した第２実施形態のキャップ３を容器本体２に付けた容器１は、以下のようにして内容物９を中出口６２ｈから押し出す。
外蓋７を開いた状態で容器本体２を押し潰すと、内容物９が内出口４２ｈ、ストッパー出口４３ｈ、中出口６２ｈから順番に押し出される。ちなみにストッパー出口４３ｈはストッパー通路４３ｊを中心として放射状に広がっている。このとき内出口４２ｈを通過した内容物９によって、ストッパー片４３が押されてヒンジ部４３ａを支点として弾性変形し、ストッパー片４３の先部が口径方向外側に変位する。また内容物９に押されても内仕切部４２（内仕切部本体４２ｂ）は薄肉部を備えないものなので、弾性変形することがない。そしてストッパー片群４３，…の内周であるストッパー出口４３ｈを通過した内容物９は、中蓋６に向かい、内容物９のうち中心部は中出口６２ｈを通過して外部に押し出され、内容物９のうち外周部は中仕切部６２に衝突する。衝突するときに内容物９は、中仕切部６２の第１出口部６２ｈ１に衝突し、第１出口部６２ｈ１に沿って滞留空間部６３から出るように案内されるが、容器本体側から反対容器本体側に向かうにつれて口径が狭まるので、中出口６２ｈから排出され難くなり、排出され難い部分が滞留空間部６３に滞留することになる。そして内容物９が中出口６２ｈから押し出され続けると、滞留空間部６３が内容物９で埋まる。
【００５６】
また内容物９を出すのを止めると、中出口６２ｈから出た内容物９が中出口６２ｈの付近で切れ、ストッパー片４３は弾性変形した状態をほぼ維持するか、僅かに初期状態の形状に近づく。
また内仕切部４２（内仕切部本体４２ｂ）は薄肉部がないので、初期状態のままである。したがって内仕切部４２に復元力が発生しないので、内容物を容器本体側に引き戻す力は内仕切部４２からは発生しない。
【００５７】
上記した第２実施形態のキャップ３は以下の効果を有する。
第２実施形態のキャップ３は容器本体側から視て中出口６２ｈの一部（第１出口部６２ｈ１のうち反容器本体側の端）を内出口４２ｈの内側に配置してあるので、第１実施形態と同様の理由で、滞留空間部６３への内容物９の滞留効果、エアバック防止効果、食材の酸化による品質低下の防止効果が得られる。ただし容器本体側から視て、第１出口部６２ｈ１のうち反容器本体側の端を内出口４２ｈの内側に配置すると共に第１出口部６２ｈ１のうち容器本体側の端を内出口４２ｈの外側に配置してあるので、つまり中出口６２ｈの一部を内出口４２ｈの外側に配置してあるので、第１実施形態の場合（容器本体側から視て、中出口６２ｈの全部を内出口４２ｈの内側に配置してあるもの）と比べて、第１出口部６２ｈ１によって案内した分だけ、滞留空間部６３への内容物９の滞留効果が小さくなる。また隣り合うストッパー片４３，４３が周方向に接した状態において、例えばストッパー片群４３，…の口径方向の中央部に内容物が通過する貫通穴が無いものと比べれば、第２実施形態のキャップ３はストッパー片群４３，…の口径方向の中央部にストッパー通路４３ｊ（貫通穴）を備えるので、固形物が排出されやすい。
【００５８】
本発明の第３実施形態のキャップ３は図８に示すように中蓋６の中仕切部６２と、内栓４のストッパー片群４３，…と、内栓４の内仕切部４２とに関して、第１実施形態のキャップ３と相違する。ちなみにストッパー片群４３と内仕切部４２とは、第２実施形態のキャップ３と同じである。
【００５９】
中仕切部６２は中仕切部本体６２ａ・ノズル部６２ｂ・第２中壁６２ｃの他に、環状の中仕切部本体６２ａの内周部からその周方向の全周に亘って容器本体側に突出する区画壁６２ｅを備える。
区画壁６２ｅは第２中壁６２ｃよりも口径方向内側に配置されている。また区画壁６２ｅは筒状であり、滞留空間部６３のうち口径方向の内周側に関して反容器本体側を区画するものである。ちなみに滞留空間部６３は中仕切部６２と内仕切部４２との間に形成された空間部である。そして滞留空間部６３のうち口径方向の内周側に関して容器本体側は、ストッパー片群４３，…によってその周方向に沿って間隔をあけて区画されている。
また区画壁６２ｅのうち容器本体側の先端は、ストッパー片４３の先端の変位範囲に対し外側に配置されている。より詳しく言えば区画壁６２ｅのうち容器本体側の先端は、初期状態においてはストッパー片４３に対し口径方向外側で且つ反容器本体側に配置されている。
また本実施形態では区画壁６２ｅが筒状であるので、ノズル部６２ｂの内部空間と中仕切部本体６２ａの貫通穴の空間部と区画壁６２ｅの内部空間とは通じている。しかもノズル部６２ｂの内周面と中仕切部本体６２ａの貫通穴の内周面と区画壁６２ｅの内周面とは、内容物の通過方向に連続しており、言い換えれば口径方向への段差がない状態であるので、これらの内周側の空間部が中出口６２ｈとなる。そして中出口６２ｈは反容器本体側に向かって徐々に口径が広くなるテーパー状となっている。また図示しないが容器本体側から視れば、中出口６２ｈは内出口４２ｈに対し口径方向内側に配置されているし、区画壁６２ｅの外周面も内出口４２ｈに対し口径方向内側に配置されている。
【００６０】
上記した第３実施形態のキャップ３を容器本体２に付けた容器１は、以下のようにして内容物９を中出口６２ｈから押し出す。
外蓋７を開いた状態で容器本体２を押し潰すと、内容物９が内出口４２ｈ、ストッパー出口４３ｈ、中出口６２ｈから順番に押し出される。ちなみに内出口４２ｈを通過した内容物９によって第２実施形態のキャップ３と同様に、ストッパー片４３は弾性変形し、内仕切部４２は弾性変形しない。
そしてストッパー片群４３，…の内周であるストッパー出口４３ｈを通過した内容物９は、中蓋６に向かい、内容物９のうち中心部は中出口６２ｈを通過して外部に押し出され、内容物９のうち外周部は中仕切部６２（中仕切部本体６２ａ）に衝突して口径方向外側に、つまり滞留空間部６３へ向かう。しかも区画壁６２ｅがあるので、中仕切部本体６２ａに衝突した内容物９は口径方向内側への移動を邪魔される。内容物９に固形物がある場合、固形物は口径方向内側へ移動しようとしても、その一部が区画壁６２ｅに衝突すれば、口径方向内側への移動を邪魔される。そして内容物９が中出口６２ｈから押し出され続けると、滞留空間部６３が内容物９で埋まる。
【００６１】
上記した第３実施形態のキャップ３は以下の効果を有する。
第３実施形態のキャップ３は容器本体側から視て中出口６２ｈを内出口４２ｈの内側に配置してあるので、第１実施形態と同様の理由で、滞留空間部６３への内容物の滞留効果、エアバック防止効果、食材の酸化による品質低下の防止効果が得られる。しかも区画壁６２ｅがあるので、区画壁６２ｅが無い場合と比べて、滞留空間部６３への内容物９の滞留効果が向上する。
【００６２】
本発明は上記実施形態に限定されるものではなく、その趣旨を逸脱しない範囲において適宜変更可能である。なお、内容物は食材に限らず、その他の酸化により品質低下となる粘性状の内容物でも良い。
【００６３】
例えば、内出口４２ｈの形状は本実施形態では正多角形状であったが、本発明はこれに限らず、他の形状であっても良い。また中出口６２ｈの形状は本実施形態では円形状であったが、本発明はこれに限らず、他の形状であっても良い。
【００６４】
またストッパー片４３は本実施形態では内出口４２ｈに対し複数枚接合されていたが、本発明ではこれに限らず１枚だけ接合されていても良い。またストッパー片４３は、本実施形態では三次元に曲がって突出するものであったが、本発明ではこれに限らず二次元に一直線に突出するもの、言い換えれば平板状であっても良い。またストッパー片群４３，…は、本実施形態では初期状態においてストッパー出口４３ｈを備えるものであったが、本発明ではこれに限らず、初期状態においてストッパー出口４３ｈを備えないもの、言い換えれば隣り合うストッパー片４３が周方向に接するものであっても良く、この場合、容器本体２を押し潰したときにストッパー片４３が弾性変形して、ストッパー出口４３ｈが形成されるものとする。
【００６５】
また中蓋６と容器本体２との取付構成は、本実施形態ではネジで螺合するものであったが、本発明ではこれに限らず、例えば凹凸によって単にスナップ式に嵌合するものであってもよい。
【００６６】
また内栓４の内取付部４１は、本実施形態では鍔４１ａと内壁４１ｂとを備えるものであったが、本発明ではこれに限らず、例えば鍔４１ａだけであっても良い。この場合、鍔４１ａの内周部に内仕切部４２が接合されることになり、中仕切部６２（中仕切部本体６２ａ）が第１実施形態と同じ形状では滞留空間部６３が形成されなくなる。したがってこの場合は、滞留空間部６３を形成するために、例えば中仕切部６２（中仕切部本体６２ａ）が中取付部６１に対し口径方向内側に張り出すと共に反容器本体側に突出する形状であれば良い。
【００６７】
また容器本体側から視て中出口を内出口の内側に配置する具体的な態様は、図３では円形状の中出口６２ｈを正六角形状の内出口４２ｈの内側に且つその周方向の全周に亘って口径方向に間隔をあけて配置する態様であったが、本発明はこれに限らず、たとえば円形状の中出口を正多角形状の内出口に接する態様、言い換えれば中出口が正多角形状の内出口の内接円となる態様であっても良い。また中出口６２ｈと内出口４２ｈが互いに円形状である場合には、内出口の口径（最小口径）は中出口の口径（最小口径）よりも大きくなる。
【００６８】
また容器本体側から視て中出口を内出口の内側に配置する具体的な態様は、図３では中出口６２ｈの中心と内出口４２ｈの中心とが一致する態様、つまり同心の態様であったが、本発明はこれに限らず、中出口６２ｈの中心と内出口４２ｈの中心とが偏心する態様であっても良い。
【００６９】
また区画壁６２ｅは、上記実施形態では筒状であり、環状の中仕切部本体６２ａの内周部からその周方向の全周に亘って容器本体側に突出するものであったが、本発明ではこれに限らず、中仕切部本体６２ａの内周部からその周方向の全周のうち一部にのみから容器本体側に向かって突出する１枚の突出壁で構成されたものであっても良いし、中仕切部本体６２ａの内周部からその周方向に間隔をあけて容器本体側に突出する複数枚の突出壁で構成されたものであっても良い。ノズル部６２ｂも区画壁６２ｅと同様に、１枚または複数枚の突出壁で構成されたものであっても良い。
【００７０】
またノズル部６２ｂと区画壁６２ｅとは、本実施形態では筒状であり、中仕切部本体６２ａの貫通穴に対し口径方向への段差がない状態であったが、本発明ではこれに限らず、口径方向への段差がある状態であっても良い。
また中蓋６は、上記実施形態ではノズル部６２ｂや区画壁６２ｅを備えるものであったが、本発明ではこれに限らず、ノズル部６２ｂや区画壁６２ｅを備えないものであっても良い。ノズル部６２ｂと区画壁６２ｅを備えないキャップであれば、中出口６２ｈは中仕切部本体６２ａの貫通穴によって形成される。
またノズル部６２ｂと区画壁６２ｅを備えていても、これらが筒状で無い場合には、中出口６２ｈは中仕切部本体６２ａの貫通穴によって形成される。
また区画壁６２ｅが筒状であっても、中仕切部本体６２ａの貫通穴の内周面に対し区画壁６２ｅの内周面が口径方向外側に段差状に配置されている場合には、中出口６２ｈは中仕切部本体６２ａの貫通穴によって形成されるものとする。
このように中出口６２ｈは、上記実施形態では中仕切部本体６２ａの貫通穴の内部空間とノズル部６２ｂの内部空間とで形成されたり、さらに区画壁６２ｅの内部空間を含めたもので形成されたりしたが、本発明ではこれに限らず、中仕切部本体６２ａだけで形成されたり、区画壁６２ｅの内部空間と中仕切部本体６２ａの貫通穴の内部空間とで形成されたものであっても良い。
【符号の説明】
【００７１】
１  容器
２  容器本体
２１  胴部し
２２  口部
２２ａ  雄ネジ
３  キャップ
４  内栓
４１  内取付部
４１ａ  鍔
４１ｂ  内壁
４２  内仕切部
４２ａ  第１の薄肉部
４２ｂ  内仕切部本体
４２ｃ  第２の薄肉部
４２ｄ  支持部
４２ｈ  内出口
４３  ストッパー片
４３ａ  ヒンジ部
４３ｂ  ストッパー片本体部
４３ｈ  ストッパー出口
４３ｊ  貫通穴（ストッパー通路）
５  キャップ本体
６  中蓋
６１  中取付部
６１ａ  第１中壁
６１ｂ  雌ネジ
６２  中仕切部
６２ａ  中仕切部本体
６２ｂ  ノズル部
６２ｃ  第２中壁
６２ｅ  区画壁
６２ｈ  中出口
６２ｈ１  第１出口部
６２ｈ２  第２出口部
６３  滞留空間部
６４  シール壁部
７  外蓋
７１  化粧板
７２  化粧壁
７３  外栓部
７４  連結部
７４ａ  蓋ヒンジ部
７４ｂ  凹凸部
７４ｂ１  凹部
７４ｂ２  凸部
７５  シール部
７５ａ  シール壁部
７６  操作部
９  内容物
９ａ  滓
Ｌ  中心線
Ｌ２  直線
【図１】
2019085175.tif 000003
【図２】
2019085175.tif 000004
【図３】
2019085175.tif 000005
【図４】
2019085175.tif 000006
【図５】
2019085175.tif 000007
【図６】
2019085175.tif 000008
【図７】
2019085175.tif 000009
【図８】
2019085175.tif 000010